(57)【要約】      （修正有）【課題】金属表面への貼り付けと非金属表面への貼り付けとに兼用可能なＲＦＩＤタックラベルを得る。【解決手段】一方表面に表面基材粘着剤が塗布された表面基材と、表面基材粘着剤を介して表面基材に積層固着されたインレイからなり、表面基材に裂開線６を形成したものである。裂開線は、前記インレイの輪郭線に重なる包囲線と一致し、その一部分を連結状態にしたままで、残余の部分を裂開可能としたものである。ＲＦＩＤタックラベル１は、非金属である物品５０に貼り付けられる。また、金属製の物品５１に使用するには、物品に貼り付けた後に、裂開線６に沿って裂開しつつ引き起こされ、連結部７で、折り曲げられる。この結果、インレイを含む引き起し片２は、物品の表面から立ち上がった状態になる。【選択図】図１
2007187767.tif 000002
【特許請求の範囲】
【請求項１】
ＲＦＩＤタックラベルにおいて、
一方表面に表面基材粘着剤が塗布された表面基材と、
前記表面基材粘着剤を介して前記表面基材に積層固着されたインレイからなり、
前記積層固着状態において、前記表面基材の輪郭線が前記インレイの輪郭線よりも外側にあり、
前記表面基材に裂開線を形成したものであり、
前記裂開線は、前記インレイの輪郭線に重なる包囲線、又は前記インレイの輪郭線と前記表面基材の輪郭線の間に存在して前記インレイを包囲する包囲線と一致し、前記包囲線の一部分を連結状態にしたままで、残余の包囲線を裂開可能としたものであることを特徴とするＲＦＩＤタックラベル。
【請求項２】
前記裂開線は、前記表面基材に対して切断と非切断を行った線であることを特徴とする請求項１に記載したＲＦＩＤタックラベル。
【請求項３】
前記インレイの下面に、第１シートと第２シートが擬似接着された擬似接着シートを積層固着したものであり、
前記擬似接着シートの輪郭線は、前記インレイの輪郭線に重なるか、又は前記インレイの輪郭線と前記表面基材の輪郭線の間にあり、
前記裂開線は、前記表面基材と前記第１シートを同一線で裂開可能としたものであることを特徴とする請求項１乃至２いずれかに記載したＲＦＩＤタックラベル。
【請求項４】
前記擬似接着シートの下面に粘着剤を塗布したことを特徴とする請求項３に記載したＲＦＩＤタックラベル。
【請求項５】
前記裂開線の一部に指係り部分を形成したことを特徴とする請求項１乃至４いずれかに記載したＲＦＩＤタックラベル。
【請求項６】
前記表面基材の他方表面が文字記入可能であることを特徴とする請求項１乃至５いずれかに記載したＲＦＩＤタックラベル。
【発明の詳細な説明】
【技術分野】
【０００１】
本発明は、ＲＦＩＤを含むタックラベルに関するものである。より詳しくは金属表面への貼り付けと非金属表面への貼り付けに兼用可能なＲＦＩＤを含むタックラベルに関するものである。
【背景技術】
【０００２】
ＲＦＩＤは、ＩＣタグ、ＲＦタグ、無線タグ、電子タグなどとも呼ばれるもので、これを貼り付けなどされた物などと、その物などに関する情報とを一体化させる目的で使用される。インレイとはＰＥＴなどの基材フィルム上にアンテナとアンテナに連結されたＩＣチップが固定されたＲＦＩＤの回路単位をいう。
【０００３】
ＲＦＩＤは、電磁波により情報の伝達を行うものであり、金属箔、金属蒸着フィルム、金属板などにＲＦＩＤを貼り付けると通信距離が短くなり、また誤作動を生じる。
【０００４】
従来の金属表面貼り付け用のＲＦＩＤタックラベルは、インレイの下面に磁性物を介在させている。（例えば、特許文献１参照）。
【０００５】
【特許文献１】特開２００４−１２７０５７号公報
【発明の開示】
【発明が解決しようとする課題】
【０００６】
物品上への、従来のＲＦＩＤタックラベルの貼り付けは、金属表面貼り付け用と非金属表面貼り付け用の２種類のＲＦＩＤタックラベルを準備しておいて、貼り付け面の性質により、当該２種類のＲＦＩＤタックラベルを使い分ける必要があった。また、非金属表面の箱（例えば紙製の箱）であっても、箱の中に金属が収納されていると、ＲＦＩＤの通信が悪影響を受ける。このため、箱の内容物を確認して、当該２種類のＲＦＩＤタックラベルを使い分ける必要があった。
さらに、従来の磁性物（例えば、磁性シート）を介在させたＲＦＩＤタックラベルは、高価になる。
【０００７】
そこで、本発明は、金属表面への貼り付けと非金属表面への貼り付けとに兼用可能なＲＦＩＤタックラベルを得ることを課題とする。また、本発明は、磁性物を含むことなく、近傍の金属の影響を少なくしたＲＦＩＤタックラベルを得ることを目的とする。
【０００８】
本発明のその他の課題は、本発明の説明により明らかになる。
【課題を解決するための手段】
【０００９】
上記の課題を解決するための手段を以下に説明するが、理解を容易にするために、一部の構成要素や部分に、本発明の実施態様に対応する符号を付けて説明する。しかし、本発明は当該実施態様に限定されるものではない。
【００１０】
本発明の一の態様にかかるＲＦＩＤタックラベルは、ＲＦＩＤタックラベル（１）（１）において、一方表面に表面基材粘着剤（１１）が塗布された表面基材（１０）と、前記表面基材粘着剤を介して前記表面基材に積層固着されたインレイ（２０）からなり、前記積層固着状態において、前記表面基材の輪郭線（１３）が前記インレイの輪郭線（２３）よりも外側にあり、前記表面基材に裂開線（６）を形成したものであり、前記裂開線は、前記インレイの輪郭線に重なる包囲線（１４ａ）、又は前記インレイの輪郭線と前記表面基材の輪郭線の間に存在して前記インレイを包囲する包囲線（１４ｂ）と一致し、前記包囲線の一部分（７ａ、７ｂ）を連結状態にしたままで、残余の包囲線を裂開可能としたものであることを特徴とする。
【００１１】
本発明の好ましい実施態様にかかるＲＦＩＤタックラベルにおいて、前記裂開線は前記表面基材に対して切断と非切断を行った線であってもよい。
【００１２】
本好ましい実施態様によれば、引き起し片を引き起す操作をしなければ、裂開線の非切断部分の作用によりＲＦＩＤタックラベルは平面状態に保持されており、特に、非金属表面貼り付け用途のＲＦＩＤタックラベルとしてより好ましい。さらに、裂開線は切断と非切断を行った線であるから、引き起し片を引き起す操作は、容易に行うことができる。
【００１３】
本発明の他の好ましい実施態様にかかるＲＦＩＤタックラベルは、前記インレイの下面に、第１シート（３６）と第２シート（３８）が擬似接着された擬似接着シート（３０）を積層固着したものであり、前記擬似接着シートの輪郭線は、前記インレイの輪郭線に重なるか、又は前記インレイの輪郭線と前記表面基材の輪郭線の間にあり、前記裂開線は、前記表面基材（１０）と前記第１シート（３６）を同一線で裂開可能にしたものであってもよい。
【００１４】
本好ましい実施態様によれば、引き起し片を引き起す操作をしなければ、擬似接着シートの擬似接着層の作用によりＲＦＩＤタックラベルは平面状態に保持されており、本ＲＦＩＤタックラベルを、非金属表面に貼り付ける場合に、より好ましい貼り付け状態が保持される。また、引き起し片のインレイには第１シートが付着しており、引き起し状態でインレイが不測の機械的衝撃から保護される。同様の観点より、インレイのＩＣチップ等が付された回路面を、表面基材側に向けて配置してもよく、擬似接着シート側に向けて配置してもよい。
【００１５】
本発明のその他の好ましい実施態様にかかるＲＦＩＤタックラベルは、前記擬似接着シートの下面に粘着剤（３９）を塗布したものであってもよい。
【００１６】
本好ましい実施態様によれば、ＲＦＩＤタックラベルは被着体に接触する部分の全面に粘着剤が塗布されており、より確実に被着体に粘着する。さらに、引き起し片を引き起す操作をすれば、擬似接着シートの擬似接着層が剥離し、当該擬似接着層は元の接着状態に戻ることがない。このため、引き起し片を引き起せば、引き起し片の引き起し状態が、よりよく、保持される。
【００１７】
本発明のその他の好ましい実施態様にかかるＲＦＩＤタックラベルは、前記裂開線（６）の一部に指係り部分（９）を形成したものであってもよい。
【００１８】
本好ましい実施態様によれば、引き起し片を引き起す操作が容易となる。
【００１９】
本発明のその他の好ましい実施態様にかかるＲＦＩＤタックラベルは、前記表面基材の他方表面が文字記入可能であってもよい。
【００２０】
本好ましい実施態様によれば、ＲＦＩＤタックラベルは、製造時に一括して印刷される文字情報のみならず、例えば、個々のＲＦＩＤタックラベルに対して、そのインレイに電磁情報を書き込んだ後に、当該電磁情報に対応する文字を記入することができる。これにより、例えば、個別のＲＦＩＤタックラベルに、個別文字を記入することも可能となり、より、使い勝手のよいＲＦＩＤタックラベルとなる。
【００２１】
以上説明した本発明、本発明の好ましい実施態様、これらに含まれる構成要素は可能な限り組み合わせて実施することができる。
【発明の効果】
【００２２】
本発明のＲＦＩＤタックラベルは、インレイを含む引き起し片を貼り付け面から立ち上げると、インレイが物品の表面に存在する金属から離れた位置に位置付けられる結果、通信の確実、長距離化が達成される。また、引き起し片を貼り付け面に平面状態に保持することもできる。したがって、本発明のＲＦＩＤタックラベルは、金属表面への貼り付けと非金属表面への貼り付けに兼用することができる。
【００２３】
このため、金属表面用、非金属表面用の２種のＲＦＩＤタックラベルを予め、準備することなく、本発明にかかるＲＦＩＤタックラベル１種のみを準備すればよい。また、外観からは知ることが出来ない内容物中の金属、金属箔、金属蒸着膜などがＲＦＩＤの通信を阻害する場合には、貼り付け後のＲＦＩＤタックラベルから引き起し片を引き起せば、通信の阻害が減少する。このため、ＲＦＩＤタックラベル貼り付け物品の内容を予め確認することなく、１種のみのＲＦＩＤタックラベルを貼り付ければ十分であり、ＲＦＩＤタックラベル貼り付け作業などの迅速化を計ることができる。
【００２４】
また、本発明のＲＦＩＤタックラベルは、金属表面への貼り付け用途でありながら、磁性物や磁性シートを使用しないので、製造工程が減少する効果があり、また、安価に提供される。
【００２５】
さらに、本発明のＲＦＩＤタックラベルは、その貼り付けや引き起し片の引き起しに専用の用具や機械は不要であり、手軽に金属表面への貼り付け用途に使用可能である。
【発明を実施するための最良の形態】
【００２６】
以下、図面を参照して本発明の実施例にかかるＲＦＩＤタックラベルをさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２７】
図１はＲＦＩＤタックラベルの使用方法を説明するための斜視図であり、図２はＲＦＩＤタックラベル（１）の断面説明図である。図３は包囲線を説明するためのＲＦＩＤタックラベルの分解斜視図であり、図４はＲＦＩＤタックラベル（２）の平面図である。図５はＲＦＩＤタックラベル（３）の断面説明図であり、図６はＲＦＩＤタックラベル（４）の断面説明図である。図２、図５と図６は、理解と図示の容易化のために、厚さ方向を拡大して図示している。また、各図面について、共通する部材や部分には同一の符号を付けている。
【００２８】
図１（ａ）を参照して、ＲＦＩＤタックラベル（１）１は、非金属である物品５０（例えば、ダンボール製や合成樹脂製の箱）に貼り付けて使用することができる。ＲＦＩＤタックラベル（１）１の表面基材には裂開線６が形成されているが、非金属である物品に貼り付けた場合には、貼り付け後に引き起し操作は不要である。ＲＦＩＤタックラベル（１）１は、平面状態で物品５０に貼り付いている。すなわち、ＲＦＩＤタックラベル（１）１は従来のＲＦＩＤタックラベルと同様に使用することができる。
【００２９】
図１（ｂ）は、ＲＦＩＤタックラベル（１）１を金属製の物品５１（例えば、アルミニウム、鉄、ステンレススチール製の箱や、表面に金属蒸着膜を形成した紙、表面に金属薄膜を貼り付けた紙（金属としては、例えばアルミニウムを挙げることができる）に貼り付けて使用している状態を示している。ＲＦＩＤタックラベル（１）１は、物品５１に貼り付けた後に、指係り部分９を手掛かりに、裂開線６に沿って裂開しつつ引き起され、連結部７で、折り曲げられる。この結果、インレイを含む引き起し片２は、物品５１の表面から立ち上がった状態になる。インレイが物品の表面に存在する金属から離れた位置に位置付けられる結果、通信の確実、長距離化が達成される。
【００３０】
ただし、引き起し片２は、かならずしも常時物品５１の表面から立ち上がった状態にある必要はなく、リーダライタとの通信を行う時点で、物品５１の表面から立ち上がった状態にあればよい。また、その表面が非金属の物品であっても、物品５０の中に金属が納められている場合には、ＲＦＩＤタックラベルの引き起し片２を引き起すと、通信の確実、長距離化に効果を発揮する。
【００３１】
図２を参照して、ＲＦＩＤタックラベル（１）１は、表面基材１０の下側表面に表面基材粘着剤１１が塗布されている。表面基材粘着剤１１を介して、表面基材１０にインレイ２０が積層固着されている。積層固着状態において、表面基材の輪郭線１３がインレイの輪郭線２３よりも外側にある。すなわち、インレイ２０は表面基材１０よりも一回り小さく、インレイの外側にある表面基材粘着剤１２は、剥離紙４０に仮粘着している。ＲＦＩＤタックラベル（１）１は、当該インレイの輪郭線２３よりも外側にある表面基材粘着剤１２によって、物品に貼り付けられる。
【００３２】
矢印８１は裂開線６の位置を示している。ＲＦＩＤタックラベル（１）１の場合、裂開線６は、表面基材１０と表面基材粘着剤１１を切断している。裂開線６は、切断部分が非切断部分よりも長い切断と非切断の交互連続線、ミシン目状切断線、連続した切断線であってもよい。裂開線６は、切断部分が非切断部分よりも長い切断と非切断の交互連続線であることが好ましい。また、連続切断線の場合には、表面基材１０への文字記入にプリンタを使用する場合を考慮して、短い非切断部分（いわゆるアンカー部分）を形成してもよい。
【００３３】
裂開線６は包囲線上に形成される。図３を参照して、一点鎖線８２は、表面基材１０とインレイ２０の積層位置を示している。積層固着状態において、表面基材の輪郭線１３がインレイの輪郭線２３よりも外側にある。
包囲線は、表面基材１０上にある以下の(1)又は(2)の線である。すなわち、
(1)インレイの輪郭線２３と重なる包囲線（１）１４ａ、
(2)インレイの輪郭線２３よりも外側で、かつ、表面基材の輪郭線１３の内側にある包囲線（２）１４ｂ、
である。
【００３４】
包囲線の一部分である連結部７ａ（又は連結部７ｂ）を切断することなく（すなわち、連結状態にしたままで）、残余の包囲線を切断などして裂開線６とする。
【００３５】
裂開線６はインレイの輪郭線２３と重なる包囲線（１）１４ａとすることが好ましい。包囲線（２）１４ｂを裂開線６とする場合には、引き起し片２が、再度物品に貼り付くことを阻止する観点から、インレイの輪郭線２３と包囲線１４ｂに挟まれる領域は、粘着剤が露出しないことが好ましい。粘着剤が露出しない状態は、粘着剤を塗布しない、粘着剤を覆うシートを付加するなどにより作り出すことができる。
【００３６】
連結部は、包囲線が形成する方形の一辺全てであってもよく（例えば、連結部７ａ）、また、包囲線が形成する方形の一辺の一部分であってもよい（例えば、連結部７ｂ）。
【００３７】
また、図４に示すＲＦＩＤタックラベル（２）１０１のように、円形のインレイを採用する場合などには、裂開線６は円の一部分であってもよい。
【００３８】
表面基材１０と表面基材粘着剤１１は、表面基材タックシート１２である。表面基材をタックシートとしたので、表面基材タックシート１２にインレイ２０を付着し、ＲＦＩＤタックラベルを製造することができる。よって、製造過程において、インレイに、機械的、熱的負荷が加えられる可能性が減少し、好ましい。しかし、ＲＦＩＤタックラベルは、順次、構成物（表面基材やインレイなど）に粘着剤を塗布、貼り付けることにより製造してもよい。
【００３９】
裂開線６は、例えば、ＲＦＩＤタックラベルの構成部材を積層した後に、表面基材側から切断刃を入れて切断加工をすればよい。また、切断加工後の表面基材タックシート１２に、インレイ２０を貼り付けてもよい。
【００４０】
剥離紙４０は、従来の粘着ラベルの剥離紙として使用されている公知の剥離紙を使用することができる。
【００４１】
インレイ２０は、樹脂フィルム（厚さ３８μｍのＰＥＴフィルム）上に接着剤を塗布し、アルミニウムを含むインキを用いてスクリーン印刷により渦巻き状のアンテナを形成し、さらに当該アンテナにＩＣチップを導電的に接続・固定したものである。インレイ１３は、上記基本的構成に、さらに片面及び／又は両面に、合成紙、ＥＶＡ、ＰＥＴシートなどが積層されていてもよい。インレイ２０はその他の材料、製造方法などで製造されたものでもよい。例えば、樹脂フィルムは、ポリイミドフィルム、ＰＢＴフィルムであってもよい。アンテナの形状は、例えばダイポールアンテナであってもよい。アンテナの材質は例えば、銅であってもよい。銅箔のアンテナは、樹脂フィルムの上に銅箔層を形成し、レジストを用いてエッチングにより形成してもよく、アンテナ形状の銅箔をプレスなどにより樹脂フィルム上に貼り付けてもよい。インレイ２０の通信周波数は、例えば１３．５６ＭＨｚが使用されるが、他の周波数帯を使用してもよい。
【００４２】
表面基材１０は文字記入可能であることが好ましい。文字記入可能な基材として、紙、インク受容加工をした合成樹脂シート、感熱印字シートなどを例示することができる。本発明において表面基材に関する文字記入とは、文字を記入することのみに限られず、記号、図、絵、バーコード、二次元バーコードの記入を包含するものである。さらに、本発明において文字記入は機械（例えばプリンタ）を用いる記録に限られず、筆記による記録を包含する。
【００４３】
表面基材１０に記入する文字は、例えば、当該ＲＦＩＤタックラベルに与えられる固有のシリアル番号、記号、バーコードや二次元バーコードあるいはこれらの組み合わせである。
【００４４】
ＲＦＩＤタックラベル（１）１において、インレイ２０のＩＣチップ等が付された回路面は表面基材１０側に配置されることが好ましい。引き起し状態でのインレイの機械的衝撃に起因する破損を避けるためである。
【００４５】
続いて、他の好ましい実施例にかかるＲＦＩＤタックラベル（３）１０２を説明する。図５を参照して、ＲＦＩＤタックラベル（３）１０２は、表面基材１０の下側に、表面基材粘着剤１１を介してインレイ２０が積層固着されている。インレイ２０の下側に粘着剤３５を介して、第１シート３６と第２シート３８が擬似接着層３７で擬似接着された擬似接着シート３０が積層固着されている。擬似接着シート３０の下側には、粘着剤３９を介して剥離紙４０が仮粘着されている。粘着剤３５は、接着剤であってもよく、ホットメルト粘着剤、ホットメルト接着剤であってもよい。
【００４６】
擬似接着シート３０は、例えば、２層の擬似接着ポリエチレンテレフタレート（ＰＥＴ）フィルムを用いることができる。このような２層の擬似接着ＰＥＴフィルムは、ＰＥＴフィルムの上に、溶融したＰＥＴを押し出してフィルムとすることにより得られる。擬似接着シート３０は、ポリエチレン、ポリプロピレン等のフィルムであってもよい。
【００４７】
擬似接着シート３０は、その両面に粘着剤を塗布した擬似接着両面粘着シート３２をまず作成し、これをインレイ２０に貼り付けている。よって、製造過程において、インレイに、機械的、熱的負荷が加えられる可能性が減少し、好ましい。しかし、ＲＦＩＤタックラベルは、順次、構成物（擬似接着シート３０、表面基材やインレイなど）に粘着剤を塗布、貼り付けることにより製造してもよい。また、擬似接着シート３０の片面に粘着剤を塗布したタックラベルを作成し、粘着剤３９として両面粘着シートを貼り付けてもよい。
【００４８】
ＲＦＩＤタックラベル（３）１０２にあっては、積層固着状態において、表面基材の輪郭線１３がインレイの輪郭線２３よりも外側にあり、擬似接着シート３０の輪郭線はインレイの輪郭線２３と重なる。すなわち、ＲＦＩＤタックラベル（３）１０２は、当該インレイの輪郭線２３よりも外側にある表面基材粘着剤１２によって、物品に貼り付けられる。同時に、ＲＦＩＤタックラベル（３）１０２の内側領域は、粘着剤３９により物品に貼り付けられる。
【００４９】
矢印８１は裂開線６の位置を示している。ＲＦＩＤタックラベル（３）１０２の場合、インレイ２０の輪郭線と重なる包囲線を裂開線６としている。裂開線６は、表面基材１０と表面粘着基材１１を切断している。擬似接着シート３０の輪郭線は裂開線６と重なっているため、切断の必要はない。
【００５０】
ＲＦＩＤタックラベル（３）１０２の場合、インレイ２０のＩＣチップ等が付された回路面を表面基材１０側に向けて配置してもよく、擬似接着シート３０側に向けて配置してもよい。
【００５１】
図６を参照して、他の実施例であるＲＦＩＤタックラベル（４）１０３においては、表面基材１０、インレイ２０、擬似接着シート３０の積層固着状態は、ＲＦＩＤタックラベル（３）１０２と等しいが、擬似接着シート３０がインレイ２０よりも一回り大きい。すなわち、擬似接着シートの輪郭線はインレイの輪郭線と表面基材の輪郭線の間にある。ＲＦＩＤタックラベル（４）１０３の裂開線６は、ＲＦＩＤタックラベル（１）１における包囲線１４ｂと同様に、インレイの輪郭線２３よりも外側で、かつ、表面基材の輪郭線１３の内側にある包囲線と重なり形成されている。当該裂開線６は、表面基材１０、表面基材粘着剤１１と第１シート３６及び擬似接着層３７を切断している。
【００５２】
ＲＦＩＤタックラベル（４）１０３にあっては、擬似接着シート３０の輪郭線は表面基材の輪郭線と一致していてもよい。
【００５３】
ＲＦＩＤタックラベル（３）１０２とＲＦＩＤタックラベル（４）１０３は、非金属表面に貼り付けて使用することができる。ＲＦＩＤタックラベルの下面全面に粘着剤が存在しているので、より強固に表面に粘着される。
【００５４】
金属表面に貼り付けられたＲＦＩＤタックラベル（３）１０２とＲＦＩＤタックラベル（４）１０３は、引き起し片２を引き起こして使用される。引き起し片の下面は、擬似接着が解除された第１シートであり、物品の表面に存置される第２シートと再接着することはない。よって、引き起し片２の引き起こし状態が、よりよく保存される。
【００５５】
裂開線６の加工性、擬似接着シートの節約などを考慮すれば、インレイ２０の輪郭線２３と重なる裂開線６を選択したＲＦＩＤタックラベル（３）１０２が、ＲＦＩＤタックラベル（４）１０３よりも好ましい。
【産業上の利用可能性】
【００５６】
本発明にかかるＲＦＩＤタックラベルは、例えば配送物や保管物のＲＦＩＤ識別標識として利用することができる。
【図面の簡単な説明】
【００５７】
【図１】ＲＦＩＤタックラベルの使用方法を説明するための斜視図である。
【図２】ＲＦＩＤタックラベル（１）の断面説明図である。
【図３】包囲線を説明するための、ＲＦＩＤタックラベルの分解斜視図である。
【図４】ＲＦＩＤタックラベル（２）の平面図である。
【図５】ＲＦＩＤタックラベル（３）の断面説明図である。
【図６】ＲＦＩＤタックラベル（４）の断面説明図である。
【符号の説明】
【００５８】
１    ＲＦＩＤタックラベル（１）
２    引き起し片
６    裂開線
７    連結部  
７ａ  連結部（１）
７ｂ  連結部（２）
９    指係り部分
１０  表面基材
１１    表面基材粘着剤
１２  表面基材タックシート
１３  表面基材の輪郭線
１４ａ  包囲線（１）
１４ｂ  包囲線（２）
２０  インレイ
２１  インレイ粘着剤
２３  インレイの輪郭線
【００５９】
３０  擬似接着シート
３２  擬似接着両面粘着シート
３５  粘着剤
３６  第１シート
３７  擬似接着層
３８  第２シート
３９  粘着剤
４０剥離紙
１０１  ＲＦＩＤタックラベル（２）
１０２  ＲＦＩＤタックラベル（３）
１０３  ＲＦＩＤタックラベル（４）
【図１】
2007187767.tif 000003
【図２】
2007187767.tif 000004
【図３】
2007187767.tif 000005
【図４】
2007187767.tif 000006
【図５】
2007187767.tif 000007
【図６】
2007187767.tif 000008